(57)【要約】【課題】外壁パネル体が居住空間に対向する窓部と、外壁パネル体が躯体構造物に対向するスパンドレル部とを設けた外壁を備えた建物において、外壁の屋外側に向けて表示を行う表示装置を、外壁パネル体の屋内側において、確実且つ精度良く支持された状態で配設する。【解決手段】スパンドレル部１Ｂの外壁パネル体４と躯体構造物５との間の空間部を表示パネル装置配設部１８とし、該表示パネル装置配設部１８に表示パネル装置１７を配設するとともに、表示パネル装置１７を、外壁パネル体を支持する枠材である方立２に支持せしめた。【選択図】図３
2017137748.tif 000002
【特許請求の範囲】
【請求項１】
外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示パネル装置配設部とし、該表示パネル装置配設部に、外壁の屋外側に向けて表示を行う表示パネル装置を配設するとともに、該表示パネル装置を、外壁パネル体を支持する枠材または該枠材に連結される額縁部材に支持せしめたことを特徴とする建物外壁部における表示パネル装置の配設構造。
【請求項２】
請求項１において、スパンドレル部は、外壁パネル体と躯体構造物との間に、外壁パネル体と間隙を存する状態で耐火パネル体が配設されると共に、表示パネル装置配設部は、外壁パネル体と耐火パネル体との間の空間部に設けられることを特徴とする建物外壁部における表示パネル装置の配設構造。
【請求項３】
請求項１または２において、外壁パネルを支持する枠材は、躯体構造物に固定される縦材を備えるとともに、該縦材に表示パネル装置を支持せしめたことを特徴とする建物外壁部における表示パネル装置の配設構造。
【発明の詳細な説明】
【技術分野】
【０００１】
本発明は、カーテンウォール等の建物外壁部における表示パネル装置の配設構造に関するものである。
【背景技術】
【０００２】
一般的に、建物の外壁のなかには、例えばカーテンウォールのように、外壁パネル体が居住空間に対向する窓部と、外壁パネル体が床、天井等の躯体構造物に対向するスパンドレル部とを設けたものがある。このような外壁において、スパンドレル部は、床、天井等の躯体構造物が外部から見えないように目隠しすることが要求される。そこで、従来、スパンドレル部の外壁パネル体の屋内側に耐火パネル体を配設し、該耐火パネル体によって防火と目隠しとを図るようにしたものが知られている（例えば、特許文献１参照）。
一方、建物の外壁部を利用して、宣伝広告や装飾等の様々な表示を行いたいという要望がある。この場合、表示装置を窓部に設けると、窓部の採光や屋内側からの視認性が損なわれる惧れがある。そこで、スパンドレル部の屋外側に設けられた庇の上面に、表示装置を設置するようにした技術が知られている（例えば、特許文献２参照）。
【先行技術文献】
【特許文献】
【０００３】
【特許文献１】特許第５２３２５８８号公報
【特許文献２】特開２０１４−２３２２７１号公報
【発明の概要】
【発明が解決しようとする課題】
【０００４】
しかしながら、前記特許文献２の表示装置は、スパンドレル部の屋外側に設けられた庇の上面に設けられているため、表示装置の雨仕舞が必要であるうえ、屋外広告物とみなされて条例により規制を受ける場合がある。そこで、表示装置をスパンドレル部の屋内側に配設することが提唱されるが、この場合、表示装置をどのように支持してスパンドレル部の屋内側に配設するかという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示パネル装置配設部とし、該表示パネル装置配設部に、外壁の屋外側に向けて表示を行う表示パネル装置を配設するとともに、該表示パネル装置を、外壁パネル体を支持する枠材または該枠材に連結される額縁部材に支持せしめたことを特徴とする建物外壁部における表示パネル装置の配設構造である。
請求項２の発明は、請求項１において、スパンドレル部は、外壁パネル体と躯体構造物との間に、外壁パネル体と間隙を存する状態で耐火パネル体が配設されると共に、表示パネル装置配設部は、外壁パネル体と耐火パネル体との間の空間部に設けられることを特徴とする建物外壁部における表示パネル装置の配設構造である。
請求項３の発明は、請求項１または２において、外壁パネルを支持する枠材は、躯体構造物に固定される縦材を備えるとともに、該縦材に表示パネル装置を支持せしめたことを特徴とする建物外壁部における表示パネル装置の配設構造である。
【発明の効果】
【０００６】
請求項１の発明とすることにより、屋外側からの目隠しが必要なスパンドレル部を利用して外壁パネル体の屋内側に表示パネル装置を配設できるとともに、外殻パネル体を支持する枠材または額縁部材を利用して、表示パネル装置を確実且つ精度良く支持せしめることができる。
請求項２の発明とすることにより、スパンドレル部に耐火パネル体が設けられていても、表示パネル装置を屋外側から視認できるように配設できる。
請求項３の発明とすることにより、表示パネル装置の支持を強固なものとすることができる。
【図面の簡単な説明】
【０００７】
【図１】第一の実施の形態におけるカーテンウォールの正面図である。
【図２】第一の実施の形態におけるスパンドレル部および窓部の縦断面図である。
【図３】第一の実施の形態におけるスパンドレル部の拡大縦断面図である。
【図４】図３のＸ−Ｘ断面図である。
【図５】図３のＹ−Ｙ断面図である。
【図６】第一の実施の形態を示す図であって、（Ａ）はラッチの係止状態を示す図、（Ｂ）は下方から視たラッチの斜視図である。
【図７】第二、第三の実施の形態におけるカーテンウォールを示す図であって、（Ａ）は正面展開図、（Ｂ）は水平断面図である。
【図８】第二の実施の形態におけるスパンドレル部および窓部の縦断面図である。
【図９】第二の実施の形態におけるスパンドレル部の拡大縦断面図である。
【図１０】図９のＸ−Ｘ断面図である。
【図１１】（Ａ）は第二の実施の形態におけるスパンドレル部の下部の詳細縦断面図、（Ｂ）は（Ａ）のＸ−Ｘ断面図である。
【図１２】（Ａ）は第二の実施の形態におけるスパンドレル部の上部の詳細縦断面図、（Ｂ）は（Ａ）のＸ−Ｘ断面図である。
【図１３】第二の実施の形態における表示パネル装置の出し入れの手順を説明する図である。
【図１４】第二の実施の形態における出隅コーナー部の水平断面図である。
【図１５】第二〜第四の実施の形態における表示パネル装置を示す図であって、（Ａ）は正面図、（Ｂ）は（Ａ）のＸ−Ｘ端面図、（Ｃ）は（Ａ）のＹ−Ｙ端面図である。
【図１６】第三の実施の形態におけるスパンドレル部および窓部の縦断面図である。
【図１７】第三の実施の形態におけるスパンドレル部の拡大縦断面図である。
【図１８】図１７のＸ−Ｘ断面図である。
【図１９】（Ａ）は第三の実施の形態におけるスパンドレル部の上部の詳細縦断面図、（Ｂ）は（Ａ）のＸ−Ｘ断面図である。
【図２０】（Ａ）は第三の実施の形態におけるスパンドレル部の下部の詳細縦断面図、（Ｂ）は（Ａ）のＸ−Ｘ断面図である。
【図２１】第三の実施の形態における表示パネル、表示パネル装置の出し入れの手順を説明する図である。
【図２２】第四の実施の形態におけるスパンドレル部および窓部の縦断面図である。
【図２３】第四の実施の形態におけるスパンドレル部の拡大縦断面図である。
【図２４】図２３のＸ−Ｘ断面図である。
【図２５】第四の実施の形態における表示パネル装置の出し入れの手順を説明する図である。
【発明を実施するための形態】
【０００８】
以下、本発明の実施の形態について、図面に基づいて説明する。
まず、本発明の第一の実施の形態について、図１〜図６に基づいて説明すると、１は建物の外壁に用いられるカーテンウォールであって、該カーテンウォール１は、方立（縦材、マリオン）２と無目（横材）３とからなる枠材の開口部に外壁パネル体４を取付けて形成されている。該外壁パネル体４は透明または透光性を有する材質から形成されており、本実施の形態では、透明なガラス材が採用されている。また、前記方立２および無目３は、本発明の外壁パネル体を支持する枠材に相当する。さらに、方立２は、本発明の躯体構造物に固定される縦材にも相当する。
【０００９】
前記カーテンウォール１には、外壁パネル体４が居住空間に対向する窓部１Ａと、外壁パネル体４が床５ａ、天井５ｂ、スラブ（図示しないが、床スラブや天井スラブ）、腰壁５ｄ等の躯体構造物５に対向するスパンドレル部１Ｂとが設けられているが、本実施の形態においてスパンドレル部１Ｂは、上下階の窓部１Ａの層間部および最上階の窓部１Ａの上側に設けられているとともに、窓部１Ａとスパンドレル部１Ｂとは、図１に示すように、屋外側から視て無目３によって上下に区画されている。
【００１０】
前記方立２は、該方立２の屋内側半部を構成し、水平断面が矩形中空状の方立本体部２Ａと、該方立本体部２Ａに一体形成され、方立２の屋外側半部を構成する外壁支持部２Ｂとから構成されている。そして方立２は、方立本体部２Ａが図示しないファスナーを介してスラブに固定されることで、躯体構造物に取付け支持されるように構成されている。
【００１１】
前記方立２の外壁支持部２Ｂには、無目３の左右外端部が取付けられると共に、上下の無目３間に位置する状態で、左右の方立アタッチメント９が取付けられている。そして、該左右の方立アタッチメント９には、外壁パネル体４の左右縦辺部が嵌合されるパネル嵌合溝９ａが形成されており、該パネル嵌合溝９ａにビート１０やシーリング材１１を介して外壁パネル体４の左右縦辺部が嵌合支持されるようになっている。尚、本実施の形態（第一の実施の形態）および後述する第二〜第四の実施の形態を説明するにあたり、外壁パネル体４の面方向に沿うと共に上下方向と直交する方向を、左右方向として説明する。
【００１２】
また、前記無目３は、その左右外端部が前記方立２の外壁支持部２Ｂに取付支持される状態で、左右に隣接する方立２間に支架されると共に、外壁パネル体４の上下辺部が嵌合されるパネル嵌合溝３ａを有しており、該無目３のパネル嵌合溝３ａに外壁パネル体４の上下辺部がビート１０やシーリング材１１を介して嵌合支持されるようになっているが、本実施の形態では、無目３として、最上階のスパンドレル部１Ｂの外壁パネル体４の上辺部を支持する上枠無目３Ａと、スパンドレル部１Ｂと該スパンドレル部１Ｂの下階の窓部１Ａとを区画し、スパンドレル部１Ｂの外壁パネル体４の下辺部を支持すると共に下階の窓部１Ａの外壁パネル体４の上辺部を支持する第一中間無目３Ｂと、スパンドレル部１Ｂと該スパンドレル部１Ｂの上階の窓部１Ａとを区画し、スパンドレル部１Ｂの外壁パネル体４の上辺部を支持すると共に上階の窓部１Ａの外壁パネル体４の下辺部を支持する第二中間無目３Ｃと、最下階の窓部１Ａの外壁パネル体４の下辺部を支持する下枠無目３Ｄとが設けられている。
尚、本実施の形態では、前記第一、第二中間無目３Ｂ、３Ｃは、窓部１Ａまたはスパンドレル部１Ｂの外壁パネル体４の上辺部を支持する上辺部用パネル嵌合溝３ａが形成された型材と、スパンドレル部１Ｂまたは窓部１Ａの外壁パネル体４の下辺部を支持する下辺部用パネル体嵌合溝３ａが形成された型材とが分割されており、これら型材同士をビス１２により固定して第一、第二中間無目３Ｂ、３Ｃが形成されているが、このように分割されたものではなく、上辺部用バネル嵌合溝と下辺部用パネル嵌合溝との上下の嵌合溝が形成された一つの型材で、第一、第二中間無目３Ｂ、３Ｃを形成することもできる。
【００１３】
一方、１６はけい酸カルシウム板等の耐火材から構成される耐火パネル体であって、火災時に上下階への延焼を防止するために設けられるものであるが、該耐火パネル体１６は、スパンドレル部１Ｂの外壁パネル体４と躯体構造物５との間に、外壁パネル体４と間隙を存し、且つ、左右に隣接する方立２の方立本体部２Ａ間に位置する状態で配設されている。そして、該耐火パネル体１６と外壁パネル体４との間の空間部は、後述する表示パネル装置１７が配設される表示パネル装置配設部１８に構成されている。
【００１４】
前記耐火パネル体１６は、該耐火パネル体１６の四周を囲繞する支持フレーム体１９を介して方立本体部２Ａおよび無目３に支持されている。上記支持フレーム体１９は、上フレーム１９ａと、左右の縦フレーム１９ｂ、１９ｃと、下フレーム１９ｄとから構成されており、そして、上フレーム１９ａは第二中間無目３Ｃ（スパンドレル部１Ｂと該スパンドレル部１Ｂの上階の窓部１Ａとを区画する無目）の屋内側面部３ｂに、また左右の縦フレーム１９ｂ、１９ｃおよび下フレーム１９ｄは方立本体部２Ａの左右側面部２ａ、２ｂに、それぞれビス２０を介して取付けられているが、左右の縦フレーム１９ｂ、１９ｃには、耐火パネル体１６を支持する耐火パネル体支持部分の屋外側に、前記表示パネル装置１７を上下移動自在にガイドするための水平断面コ字形状のガイドレール１９ｅが一体形成されている。また、支持フレーム体１９の下フレーム１９ｄには、該下フレーム１９ｄの屋内側部位から下方に向けて垂下する垂下辺１９ｆが一体形成されていると共に、該垂下辺１９ｆの屋内側には額縁取付部１９ｇが一体形成されている。そして、該額縁取付部１９ｇには、天井５ｂに連結される天井側額縁２１が取付けられている。
【００１５】
前記天井側額縁２１は、第一中間無目（スパンドレル部１Ｂと該スパンドレル部１Ｂの下階の窓部１Ａとを区画する無目）３Ｂと間隔を存する状態で、該第一中間無目３Ｂの屋内側に位置している。そして、該第一中間無目３Ｂと天井側額縁２１との間の間隙は、前記表示パネル装置配設部１８の下方に位置していて、該表示パネル装置配設部１８に配設される表示パネル装置１７をスパンドレル部１Ｂの下階の居住空間側から出し入れするための開口２２となっている共に、該開口２２は、後述する蓋体２３によって開閉自在に覆蓋されるようになっている。
【００１６】
また、２４は第二中間無目（スパンドレル部１Ｂと該スパンドレル部１Ｂの上階の窓部１Ａとを区画する無目）３Ｃの屋内側に設けられる床側額縁であって、該床側額縁２４は、前記支持フレーム体１９の上フレーム１９ａの上側に位置し、且つ、左右に隣接する方立２の方立本体部２Ａ間に支架される状態で、第二中間無目３Ｃの屋内側面部３ｂおよび方立本体部２Ａの左右側面部２ａ、２ｂに取付けられている。そして、該床側額縁２４の屋内側は、床５ａから立設される腰壁５ｄの上部に膳板２５ａを介して連結されている。
尚、図中、２６はロックウール等から構成される耐火材である。
【００１７】
一方、前記表示パネル装置１７は、本実施の形態では、広告や装飾用の文字、図柄等の表示がなされた表示パネル（サイン）３１と、該表示パネル３１の屋内側に積層状に配される導光パネル３２と、これら両パネル３１、３２の四周を支持する枠体３３と、光源（本実施の形態ではＬＥＤ）３４等を備えて構成されている。そして、光源３４から発せられた光が導光パネル３２において発光し、これがバックライトとなって表示パネル３１を照射することによって、表示パネル３１の文字や図柄等が視認されるようになっているが、表示パネル装置１７は、前述したように、スパンドレル部１Ｂの外壁パネル体４と耐火パネル体１６との間に形成される表示パネル装置配設部１８に配設されており、これにより、スパンドレル部１Ｂの透明な外壁パネル体４を通して屋外側から表示パネル３１の表示を視認できるようになっている。
【００１８】
ここで、前記第一中間無目３Ｂと天井側額縁２１との間の開口２２は、前述したように、表示パネル装置１７を居住空間側から表示パネル装置配設部１８に出し入れするための開口２２になっている共に、矩形中空状の蓋体２３によって覆蓋されるようになっているが、該蓋体２３は、方立本体部２Ａに着脱自在に支持されている。つまり、蓋体２３の左右両端部は、左右に隣接する方立２の方立本体部２Ａの左右側面部２ａ、２ｂに対向しているが、該蓋体２３の左右両端部には、方立本体部２Ａの左右側面部２ａ、２ｂ側に向けて出没自在なラッチ爪３５ａと、該ラッチ爪３５ａを没入させるために操作される摘み部３５ｂとを備えたラッチ３５が取付けられている。一方、方立本体部２Ａの左右側面部２ａ、２ｂには、前記ラッチ爪３５ａが貫入係止するラッチ孔２ｃが開設されると共に、該ラッチ孔２ｃの周囲は補強部材３６によって補強されている。そして、前記蓋体２３に取付けられたラッチ爪３５ａを方立本体部２Ａのラッチ孔２ｃに貫入係止させることによって、蓋体２３は、前記開口２２を覆蓋する状態で方立本体部２Ａに支持される一方、摘み部３５ｂを操作してラッチ爪３５ａとラッチ孔２ｃとの係止を解除することによって、蓋体２３を方立本体部２Ａから取り外すことができるようになっている。
尚、前記蓋体２３の下面には、屋内外方向に突出するフランジ部２３ａが形成されている。そして、該フランジ部２３ａを第一中間無目３Ｂおよび天井側額縁２１の下面に当接させることで、ラッチ爪３５ａとラッチ孔２ｃとの位置合わせがなされてラッチ爪３５ａが自動的にラッチ孔２ｃに嵌入係止すると共に、フランジ部２３ａによって、第一中間無目３Ｂと蓋体２３との間、および蓋体２３と天井側額縁２１との間を隙間なく塞ぐことができるように構成されている。
【００１９】
さらに、前記蓋体２３の上面には、前記表示パネル装置１７の下端部が固定されていて、蓋体２３と共に表示パネル装置１７を移動させることができるようになっている。そして、表示パネル装置１７を表示パネル装置配設部１８に配設する場合には、該表示パネル装置配設部１８が設けられたスパンドレル部１Ｂの下階の居住空間から、開口２２を通して表示パネル装置１７を表示パネル装置配設部１８に収納する。この場合、表示パネル装置１７の下端部に固定された蓋体２３を持ち上げて、開口２２の下方から表示パネル装置１７を表示パネル装置配設部１８に入れて上動させる。このとき、表示パネル装置１７の上部を、前記支持フレーム体１９に形成されたガイドレール１９ｅに嵌合させることにより、表示パネル装置１７の上動がガイドレール１９ｅにガイドされた状態でスムーズに行われる。そして、蓋体２３のフランジ部２３ａが第一中間無目３Ｂおよび天井側額縁２１の下面に当接するまで上動させることにより、前述したようにラッチ爪３５ａが自動的にラッチ孔２ｃに嵌入係止し、これにより、蓋体２３が開口２２を塞ぐ状態で方立本体部２Ａに支持されると共に、蓋体２３に固定された状態で表示パネル装置１７が表示パネル装置配設部１８に収納されるようになっており、このようにして、スパンドレル部１Ｂの下階の居住空間側から表示パネル装置１７を表示パネル装置配設部１８に容易に収納することができるようになっている。そして、該表示パネル装置配設部１８に収納された表示パネル装置１７は、前記蓋体２３を介して、外壁パネル体４を支持する枠材である方立２に確実に支持されるようになっている。
【００２０】
一方、前記表示パネル装置配設部１８に収納された表示パネル装置１７は、表示パネル３１の表示を変更したい場合や、光源３４の交換や修理等のメンテナンスを行う場合には、表示パネル装置配設部１８から取り出す必要がある。この場合には、表示パネル装置配設部１８が設けられたスパンドレル部１Ｂの下階の居住空間から、蓋体２３に設けられたラッチ３５の摘み部３５ｂを操作してラッチ爪３５ａとラッチ孔２ｃとの係止を解除する。これにより、蓋体２３を方立本体部２Ａから取り外すことができ、この状態で蓋体２３を下動させると、該蓋体２３と共に表示パネル装置１７が下動して、表示パネル装置配設部１８から出てくる。このときの表示パネル装置１７の下動は、支持フレーム体１９に形成のガイドレール１９ｅにガイドされる状態でスムーズに行われる。このようにして、表示パネル装置配設部１８から表示パネル装置１７を容易に取り出すことができるようになっている。
【００２１】
叙述の如く構成された本発明の第一の実施の形態において、建物の外壁としてのカーテンウォール１には、外壁パネル体４が居住空間に対向する窓部１Ａと、外壁パネル体４が床５ａ、天井５ｂ等の躯体構造物５に対向するスパンドレル部１Ｂとが設けられているが、該スパンドレル部１Ｂの外壁パネル体４と躯体構造部５との間の空間部（本実施の形態では、スパンドレル部１Ｂの外壁パネル体４と躯体構造物５との間に耐火パネル体１６が配されており、該耐火パネル体１６と外壁パネル体４との間の空間部）は表示パネル装置配設部１８となっており、該表示パネル装置配設部１８には、カーテンウォール１の屋外側に向けて表示を行う表示パネル装置１７が配設されるとともに、該表示パネル装置配設部１８に配設された表示パネル装置１７は、表示パネル装置１７を表示パネル装置配設部１８に出し入れするための開口２２を塞ぐ蓋体２３を介して、外壁パネル体４を支持する枠材である方立２に支持されることになる。
【００２２】
而して、前記表示パネル装置１７によって、カーテンウォール１の屋外側に向けて宣伝広告や装飾等の様々な表示を行えることになるが、この表示パネル装置１７は、スパンドレル部１Ｂの外壁パネル体４と躯体構造部５との間の表示パネル装置配設部１８に配設されているため、屋外側からの目隠しが必要であるスパンドレル部１Ｂを利用して、窓部１Ａの採光や屋内側からの視認性が損なわれる惧れがない状態で、表示パネル装置１７を配設できることになる。しかも、表示パネル装置配設部１８は外壁パネル体４４の屋内側であるから、表示パネル装置１７の雨仕舞の必要もなく、また、屋外広告物としての条例の規制も受けないことになる。
【００２３】
さらに、前記表示パネル装置配設部１８に配設された表示パネル装置１７は、蓋体２３を介して方立２に支持されることになるが、該方立２は外壁パネル体４を支持する枠材であって強度的にも優れており、而して、外壁パネル体４を支持する枠材を利用して表示パネル装置１７を確実に支持できることになる。また、表示パネル装置１７は、外壁パネル体４を通して屋外側に表示を行うことになるから、外壁パネル体４に対する位置調整を精度良く行う必要があるが、外壁パネル体４を支持する枠材である方立２に表示パネル装置１７を支持せしめることで、この位置調整を精度良く行うことができる。
【００２４】
しかも、前記表示パネル１７を支持する方立２は、外壁パネル体４を支持する枠材のうち、躯体構造物に固定される縦材であって特に強度に優れており、表示パネル体１７を強固に支持できることになる。
【００２５】
また、本実施の形態では、スパンドレル部１Ｂの外壁パネル体４と躯体構造物５との間に、外壁パネル体４と間隙を存する状態で耐火パネル体１６が配設されていると共に、該耐火パネル体１６と外壁パネル体４との間の空間部が、表示パネル装置１７が配設される表示パネル装置配設部１８に構成されている。このように耐火パネル体１６と外壁パネル体４との間の空間部を表示パネル装置配設部１８にすることにより、上下階への延焼を防止するべくスパンドレル部１Ｂに耐火パネル体１６が配設されていても、表示パネル装置１７を屋外側から視認できるように配設できることになる。
【００２６】
さらに、本実施の形態では、表示パネル装置配設部１８の下方に、表示パネル装置１７を居住空間側から出し入れするための開口２２と、該開口２２を開閉自在に覆蓋する蓋体２３とが設けられている。これにより、表示パネル装置１７のメンテナンスや交換を行う場合に、居住空間側から表示パネル装置１７を表示パネル装置配設部１８に出し入れでき、而して、表示装置がカーテンウォール１の屋外側に配設される場合のように、屋外に足場を組む必要もなく、また、天候に左右される惧れもなくなって、交換やメンテナンスの作業性の向上に大きく貢献できる。しかも、蓋体２３によって表示パネル装置配設部１８を居住空間側から目隠しできる。
【００２７】
さらに、本実施の形態において、表示パネル装置１７は、前記蓋体２３に固定されていると共に、該蓋体２３は、方立２を構成する方立本体部２Ａに着脱自在に支持されている。而して、表示パネル装置１７を表示パネル装置配設部１８に配設する場合には、該表示パネル装置配設部１８の下方を覆蓋する蓋体２３を方立２に対して着脱すれば良いから、着脱作業が容易であり、メンテナンス性の更なる向上に貢献できる。
【００２８】
さらにこのものでは、表示パネル装置１７の出し入れをガイドするガイドレール１９ｅが設けられているため、表示パネル装置１７の表示パネル装置配設部１８への出し入れをスムーズに行うことができる。この場合に、本実施の形態では、耐火パネル体１６を支持する支持フレーム体１９に前記ガイドレール１９ｅが一体形成されており、而して、耐火パネル体１６を支持するために必要な支持フレーム体１９を利用して表示パネル装置１７用のガイドレール１９ｅを設けることができて、部材の兼用化が図れるとともに、ガイドレール１９ｅの設置スペースを別途確保する必要もなくなる。
【００２９】
次いで、本発明の第二の実施の形態について、図７〜図１５に基づいて説明すると、４１は第二の実施の形態のカーテンフォールであって、該カーテンウォール４１は、第一の実施の形態と同様に、方立４２と無目４３とからなる枠材の開口部に外壁パネル体４４を取付けて構成されているとともに、外壁パネル体４４が居住空間に対向する窓部４１Ａと、外壁パネル体４４が躯体構造物４５（床４５ａ、天井４５ｂ、スラブ（最上階において天井４５ｂの上側の設けられるスラブ、最下階において床４５ａの下側に設けられるスラブ、中間階において床４５ａと天井４５ｂとの間に設けられるスラブ等）４５ｃ、腰壁４５ｄ等）に対向するスパンドレル部４１Ｂとが設けられている。
尚、第二の実施の形態のカーテンウォール４１には、図７、図１４に示す如く、出隅コーナー部４１Ｃが設けられている。また、第二の実施の形態では、外壁パネル体４４として、スパンドレル部４１Ｂでは高透過ガラスが用いられており、窓部４１Ａでは複層ガラスが用いられている。さらに、第二の実施の形態においても、第一の実施の形態と同様、方立４２、無目４３は本発明の外壁パネル体を支持する枠材に相当し、方立４２は、本発明の躯体構造物に固定される縦材にも相当する。
【００３０】
前記第二の実施の形態の方立４２は、第一の実施の形態の方立２と形状は異なるが、同様に、ファスナー４０（図８に図示、また、後述する第三、第四の実施の形態では図１６、図２２にそれぞれ図示、他の図面では図示せず）を介して躯体側に取付け支持される方立本体部４２Ａと、該方立本体部４２Ａの屋外側に一体形成される外壁支持部４２Ｂとから構成されている。外壁支持部４２Ｂには、無目４３の左右外端部が取付けられるとともに、上下の無目４３間に位置する状態で、左右の方立アタッチメント４６が取付けられている。そして、該方立アタッチメント４６の屋外側面部４６ａと、外壁支持部４２Ｂの屋外側端部に形成された見付け辺４２Ｂａとの間に、外壁パネル体４４の左右縦辺部が嵌合されるパネル嵌合溝４２Ｂｂが形成されており、該パネル嵌合溝４２Ｂｂには、ビート１０やシーリング材１１を介して外壁パネル体４４の左右縦辺部が嵌合支持されている。
尚、出隅コーナー部４１Ｃにおいては、図１４に示す如く、コーナー用方立４２Ｘが用いられており、該コーナー用方立４２Ｘの外壁支持部４２ＸＢには、一対の方立アタッチメント４６が、その屋外側面部４６ａが互いに直行する方向を向く状態で取付けられている。さらに、コーナー用方立４２Ｘの外壁支持部４２ＸＢには、上記方立アタッチメント４６の屋外側面部４６ａに屋外側から対向する一対の見付け辺４２ＸＢａが形成されており、該見付け辺４２ＸＢａと方立アタッチメント４６の屋外側面部４６ａとの間に形成されるパネル嵌合溝４２ＸＢｂに、外壁パネル体４４の左右縦辺部が嵌合支持されている。
【００３１】
また、第二の実施の形態の無目４３は、第一の実施の形態の無目３と形状は異なるが、同様に、その左右外端部が方立４２の外壁支持部４２Ｂに取付支持される状態で、左右に隣接する方立４２間に支架されるとともに、外壁パネル体４４の上下辺部が嵌合されるパネル嵌合溝４３ａを有しており、該無目４３のパネル嵌合溝４３ａには、ビート１０やシーリング材１１を介して外壁パネル体４４の上下辺部が嵌合支持されている。そして、第二の実施の形態においても第一の実施の形態と同様に、無目４３として、最上階のスパンドレル部４１Ｂの外壁パネル体４４の上辺部を支持する上枠無目４３Ａと、スパンドレル部４１Ｂと該スパンドレル部４１Ｂの下階の窓部４１Ａとを区画し、スパンドレル部４１Ｂの外壁パネル体４４の下辺部を支持すると共に下階の窓部４１Ａの外壁パネル体４４の上辺部を支持する第一中間無目４３Ｂと、スパンドレル部４１Ｂと該スパンドレル部４１Ｂの上階の窓部４１Ａとを区画し、スパンドレル部４１Ｂの外壁パネル体４４の上辺部を支持すると共に上階の窓部４１Ａの外壁パネル体４４の下辺部を支持する第二中間無目４３Ｃと、最下階のスパンドレル部４１Ｂの外壁パネル体４４の下辺部を支持する下枠無目４３Ｄとが設けられている。
【００３２】
また、４７は第一の実施の形態の耐火パネル体１６と同様に耐火材から構成される耐火バネル体であって、該耐火パネル体４７は、スパンドレル部４１Ｂの外壁パネル体４４と躯体構造物４５との間に、外壁パネル体４４と間隔を存する状態で配設されている。
【００３３】
ここで、第二の実施の形成の耐火パネル体４７は、左右に隣接する方立４２の方立本体部４２Ａ間に位置する状態で配設される第一耐火パネル体４７Ａと、方立本体部４２Ａの屋内側において左右に隣接する第一耐火パネル４７Ａの左右外端部同士に亘るように設けられる第二耐火パネル体４７Ｂとから構成されている。そして、耐火パネル体４７は、第一耐火パネル体４７Ａの下端部が、方立本体部４２Ａの左右の側面部４２Ａａにネジ４８ａを介して固定される左右の耐火パネル体支持ブラケット４８に載置支持され、また、第一耐火パネル体４７Ａの屋外側への移動が、方立本体部４２Ａの左右の側面部４２Ａａにネジ４９ａを介して固定される左右の耐火パネル位置決めブラケット４９によって規制され、さらに、第二耐火パネル体４７Ｂが方立本体部４２Ａの屋内側面部４２Ａｃにネジ５０を介して取付けられることによって、方立本体部４２Ａに取付け支持されるようになっている。そして、第一の実施の形態と同様に、耐火パネル体４７と外壁パネル体４４との間で、且つ、左右に隣接する方立本体部４２Ａの間の空間部が、表示パネル装置５１が出し入れ自在に配設される表示パネル装置配設部５２に構成されている。
【００３４】
また、前記第一耐火パネル体４７Ａの下部には、屋内外方向に貫通する配線用貫通孔４７Ａａが形成されている。そして、該配線用貫通孔４７Ａａを通して、耐火パネル体４７の屋内側に配置された電源盤５３から延びるハーネス５５が表示パネル装置配設部５２に引き出されるようになっているとともに、該表示パネル装置配設部５２に引き出されたハーネス５５の先端部には、給電側コネクタ５６が接続されている。
尚、前記電源盤５３には、電源スイッチやコントローラ等が設けられるが、該電源盤５３へのアクセスは、天井４５ｂに開閉自在に設けられた天井側点検口４５ｅから行えるようになっている。
【００３５】
さらに、第一中間無目（スパンドレル部４１Ｂと該スパンドレル部４１Ｂの下階の窓部４１Ａとを区画する無目）４３Ｂの屋内側には、天井４５ｂに連結される天井側額縁５８が配設されているが、該天井側額縁５８は、その屋外側端面５８ｂの屋内外方向の位置が方立本体部２Ａの屋内側面部４２Ａｃと略同位置に設定されていて、第一中間無目４３Ｂとは間隔を存する状態になっている。そして、該第一中間無目４３Ｂと天井側額縁５８との間の間隔は、前記表示パネル装置配設部５２の下方に位置していて、該表示パネル装置配設部５２に配設される表示パネル装置５１をスパンドレル部４１Ｂの下階の居住空間側から出し入れするための開口５９となっているとともに、該開口５９は、後述する点検カバー６０によって開閉自在に覆蓋されるようになっている。
尚、図中、５７は耐火パネル体４７の下側位置において左右方向に延びる額縁用アングルであって、該額縁用アングル５７は、方立本体部４２Ａの屋内側面部４２Ａｃにネジ５７ａを介して固定されている。そして、該額縁用アングル５７に、前記天井側額縁５８の屋外側端部がネジ５８ａを介して取付けられている。
【００３６】
一方、第二の実施の形態の表示パネル装置５１は、第一の実施の形態の表示パネル装置１７と同様に、文字、図柄等の表示がなされた表示パネル６１と、該表示パネル６１の屋内側に積層状に配される導光パネル６２と、これら両パネル６１、６２の四周を支持する枠体６３と、導光パネル６２を発光させるための光源（本実施の形態ではＬＥＤ）６４等を備えて構成されているが、上記枠体６３は、左右の縦枠６３ａと、該左右の縦枠６３ａの上下に組付けられる上下枠６３ｃ、６３ｄとから構成されている。また、ＬＥＤ（光源）６４は、左右の縦枠６３ａに組み込まれるＬＥＤ支持バー６５に上下方向複数配置されている。そして、ＬＥＤ６４から発せられた光が左右両側から導光パネル６２に入光されて該導光パネル６２が発光し、これがバックライトとなって表示パネル６１を照射するようになっている。さらに、前記ＬＥＤ６４に接続されるリード線は、下方に延びて受電側コネクタ６６に接続されており、該受電側コネクタ６６と前記給電側コネクタ５６とを接続することによってＬＥＤ６４への給電がなされるが、これら受電側コネクタ６６、給電側コネクタ５６の断続は、後述するように、前記開口５９から行えるようになっている。
【００３７】
ここで、前記表示パネル装置５１は、上枠６３ｃを、該上枠６３ｃ以外の他の枠材（左右の縦枠６３ａ、下枠６３ｄ）やＬＥＤ支持バー６５はそのままの状態で、表示パネル装置５１の上側から螺入されるネジ６３ｅを介して表示パネル装置５１の上側から取付け、取外しできるようになっているとともに、上枠６３ｃが取外された状態の表示パネル装置５１に、表示パネル６１を、表示パネル装置５１の上側から組込み、組外しできるように構成されている。これにより、上枠６３ｃの取付け、取外しだけで表示パネル６１を表示パネル装置５１に組込み、組外しでき、表示パネル６１のみの交換作業やメンテナンス作業を行う場合に、容易かつ効率良く行えるようになっている。
【００３８】
さらに、前記表示パネル装置５１が配設される表示パネル装置配設部５２は、前述したように、スパンドレル部４１Ｂの外壁パネル体４４と耐火パネル体４７との間で、且つ、左右に隣接する方立本体部４２Ａの間の空間部に設けられるが、該表示パネル装置配設部５２には、表示パネル装置５１の下端部を支持するための左右の表示パネル装置支持プラケット６７と、表示パネル装置５１の左右縁部を支持するとともに表示パネル装置５１の上下移動をガイドするための左右のガイドレール６８とが設けられている。
【００３９】
前記左右のガイドレール６８は、上下方向に延びる水平断面コ字形状のものであって、方立本体部４２Ａの左右側面部４２Ａａにネジ６８ａを介して固定されている。また、左右の表示パネル装置支持ブラケット６７は、図１１（Ｂ）に示す如く、支持片６７ａと該支持片６７ａから垂下される取付片６７ｂとからなる逆Ｌ字形状のものであって、前記左右のガイドレール６８の下端部において、取付片６７ｂが左右のガイドレール６８の溝底面６８ｂを間に介装する状態で方立本体部４２Ａの左右側面部４２Ａａにネジ６７ｃを介して着脱自在に取付けられている。そして、表示パネル装置５１は、下端部（下枠６３ｄ）の左右両側が左右の表示パネル装置支持ブラケット６７の支持片６７ａに載置支持され、且つ、左右両端部（左右縦枠６３ａ）が左右のガイドレール６８に嵌合支持されることによって、表示パネル装置配設部５２に安定した状態で保持されるようになっているとともに、表示パネル装置支持ブラケット６７が方立本体部４２Ａの左右側面部４２Ａａから取外された状態では、左右のガイドレール６８にガイドされながら上下動できる構成になっている。
ここで、前記表示パネル装置５１を支持する表示パネル装置支持ブラケット６７およびガイドレール６８は、前述したように、共に方立本体部２Ａに取付けられている。而して、表示パネル装置配設部５２に配設された表示パネル装置５１は、これら表示パネル装置支持ブラケット６７およびガイドレール６８を介して、外壁パネル体４４を支持する枠材であり、且つ、躯体構造物４５に固定される縦材である方立４２に確実に支持されるようになっている。
尚、出隅コーナー部４１Ｃにおいて用いられるコーナー部用の表示パネル装置支持ブラケット６７Ｘ、ガイドレール６８Ｘは、図１４に示す如く、コーナー用方立４２Ｘの方立本体部４２ＸＡの左右側面部４２ＸＡａが外壁パネル体４４の面方向に対して傾斜状に設けられていることに対応して、該左右側面部４２ＸＡａに取付けられる取付片６７Ｘｂ、溝底面６８Ｘｂが傾斜状となるように形成されている。
【００４０】
そして、前記表示パネル装置支持ブラケット６７は、表示パネル装置配設部５２の下方の開口５９の少し上側に位置していて、該開口５９から表示パネル装置支持ブラケット６７の着脱作業を行えるようになっているが、さらに、表示パネル装置支持ブラケット６７と開口５９との間には、下側耐火ブロック７０が着脱自在に配設されている。
【００４１】
前記下側耐火ブロック７０は、前記耐火パネル体４７と同様に耐火材から構成されるものであって、前述したように開口５９と表示パネル装置支持ブラケット６７との間に位置する状態で、表示パネル装置配設部５２の下側を塞ぐように設けられている。７１は前記下側耐火ブロック７０を載置支持する下側耐火ブロック支持ブラケットであって、該下側耐火ブロック支持ブラケット７１は、第一中間無目４３Ｂの屋内側面部４３Ｂａに固定された第一中間無目アダプター７２と、前記耐火パネル体支持ブラケット４８とにネジ７１ａ、７１ｂを介して着脱自在に取付けられている。さらに、この下側耐火ブロック支持ブラケット７１の下側に、前記開口５９を開閉自在に覆蓋する点検カバー６０がネジ６０ａを介して着脱自在に取付けられているが、これら点検カバー６０用のネジ６０ａおよび下側耐火ブロック支持ブラケット７１用のネジ７１ａ、７１ｂは共に下側から螺入されるように設定されていて、点検カバー６０および下側耐火ブロック支持ブラケット７１の着脱作業を、スパンドレル部４１Ｂの下階の居住空間から行うことができるようになっている。尚、図中、７３はビードであって、該ビード７３は、点検カバー６０の四周外縁部と、該四周外縁部に対向する第一中間無目４３Ｂの屋内側面部４３Ｂａ、天井側額縁５８の屋外側端面５８ｂ、方立本体部４２Ａの左右側面部４２Ａａとのあいだに嵌着される。
【００４２】
一方、７４は前記第二中間無目（スパンドレル部４１Ｂと該スパンドレル部４１Ｂの上階の窓部４１Ａとを区画する無目）４３Ｃの屋内側に第二中間無目アダプター７５を介して取付けられる膳板であって、該膳板７４は、前記表示パネル装置配設部５２および耐火パネル体４７の上方に位置する状態で、第二中間無目４３Ｃから腰壁４５ｄの上部に至るように設けられている。
尚、前記第二中間無目アダプター７５は、第二中間無目４３Ｃの屋内側面部４３Ｃａに固定される下側第二中間無目アダプター７５ａと、該下側第二中間無目アダプター７５ａの上側に固定される上側第二中間無目アダプター７５ｂとから構成されている。また、図中、８０は膳板７４と方立本体部４２Ａの左右側面部４２Ａａとの間を塞ぐシーリングである。
【００４３】
さらに、前記膳板７４の下側には、第二中間無目アダプター７５と第一耐火パネル体４７Ａの上部間に位置する状態で、表示パネル装置配設部５２の上側を塞ぐ上側耐火ブロック７６が配設されている。該上側耐火ブロック７６は、前記下側耐火ブロック７０と同様に耐火材から構成されるものであって、上側耐火ブロック支持ブラケット７７に載置支持されているが、該上側耐火ブロック支持ブラケット７７は、屋外側端部がネジ７７ａを介して第二中間無目アダプター７５に取付けられ、また、屋内側端部がネジ７７ｂを介して支持アングル７８に取付けられている。該支持アングル７８は、第一耐火パネル体４７Ａの上側位置において、方立本体部４２Ａの左右側面部４２Ａａに固定された左右のアングル用ブラケット７９にネジ７８ａを介して取付け支持される状態で、左右に隣接する方立４２の方立本体部４２Ａ間に支架されている。
尚、前述した下側耐火ブロック７０、上側耐火ブロック７６は、火災時における延焼を防止するべく表示パネル装置配設部５２の上下を耐火材で塞ぐものであるが、これら下側耐火ブロック７０、上側耐火ブロック７６は、本発明の耐火パネル体には相当しない。
【００４４】
そして、この様に構成された第二の実施の形態のものにおいて、表示パネル装置配設部５２に配設された表示パネル装置５１を、表示パネル６１の変更やＬＥＤ６４の交換等のメンテナンスのために取り出す場合には、まず、表示パネル装置配設部５２が設けられたスパンドレル部４１Ｂの下階の居住空間側から、点検カバー６０の四周外縁部に嵌着されたビード７３を取外す。次いで、点検カバー６０を取外して、表示パネル装置配設部５２の下方の開口５９を開く。さらに、下側耐火ブロック支持ブラケット７１を取外し、同時に該下側耐火ブロック支持ブラケット７１に載置された下側耐火ブロック７０も取り出す。この状態で、表示パネル装置５１の受電側コネクタ６６を給電側コネクタ５６から外す。次いで、表示パネル装置支持ブラケット６７を取外すが、このとき、表示パネル装置支持ブラケット６７とともに表示パネル装置５１が落ちてこないように、表示パネル装置５１を支えながら表示パネル装置支持ブラケット６７を取外し、しかる後、表示パネル装置５１を下動させて、居住空間に取り出す。このときの表示パネル装置５１の下動は、表示パネル装置５１の左右両側が左右のガイドレール６８にガイドされることで安定した状態で行うことができる。
【００４５】
一方、表示パネル装置５１を表示パネル装置配設部５２に配設する場合には、表示パネル装置配設部５２が設けられたスパンドレル部４１Ｂの下階の居住空間から、開口５９を通して表示パネル装置５１を表示パネル装置配設部５２に収納する。このとき、表示パネル装置５１の左右両縁部を左右のガイドレール６８に嵌合させることにより、表示パネル装置５１の上動がガイドレール６８にガイドされた状態でスムーズに行われる。そして、表示パネル装置５１を表示パネル装置支持ブラケット６７の取付け位置の上方まで上動させたら、表示パネル装置支持ブラケット６７を取付けて、該表示パネル装置支持ブラケット６７に表示パネル装置５１を載置支持せしめる。さらに、表示パネル装置５１の受電側コネクタ６６を給電側コネクタ５６に接続する。次いで、下側耐火ブロック７０を表示パネル装置配設部５２に入れてから、下側耐火ブロック支持ブラケット７１を取付ける。しかる後、点検カバー６０を取付けて開口５９を塞ぎ、さらに該点検カバー６０の四周外縁部にビード７３を嵌着することによって、表示パネル装置５１の表示パネル装置配設部５２への配設作業が完了することになる。
【００４６】
而して、第二の実施の形態のものにおいても、第一の実施の形態のものと同様に、スパンドレル部４１Ｂの外壁パネル体４４と躯体構造物４５との間の空間部（第二の実施の形態のものでは、第一の実施の形態と同様に、スパンドレル部４１Ｂの外壁パネル体４４と躯体構造物４５との間に耐火パネル体４７が配されており、該耐火パネル体４７と外壁パネル体４４との間の空間部）が表示パネル装置配設部５２になっており、該表示パネル装置配設部５２には、カーテンウォール１の屋外側に向けて表示を行う表示パネル装置５１が配設されているとともに、該表示パネル装置配設部５２に配設された表示パネル装置５１は、表示パネル装置支持ブラケット６７およびガイドレール６８を介して方立４２に支持されることになる。よって、第二の実施の形態のものも、第一の実施の形態と同様に、スパンドレル部４１Ｂを利用して表示パネル装置５１を配設できるとともに、該表示パネル装置配設部５２に配設された表示パネル装置５１は、外壁パネル体４４を支持する枠材であり、且つ、躯体構造物に固定される縦材である方立４２に支持されることになって、表示パネル装置５１を確実かつ強固に支持できるとともに、外壁パネル体４４に対する位置調整を精度良く行えることになって、第一の実施の形態と同様の作用効果を奏する。
【００４７】
次いで、本発明の第三の実施の形態について、図１６〜図２１に基づいて説明するが、該第三の実施の形態のものも、前述した第一、第二の実施の形態のものと同様に、スパンドレル部４１Ｂの外壁パネル体４４と躯体構造物４５との間の空間部（第三の実施の形態では、第一、第二の実施の形態と同様に、スパンドレル部４１Ｂの外壁パネル体４４と躯体構造物４５との間に耐火パネル体４７が配されており、該耐火パネル体４７と外壁パネル体４４との間の空間部）が表示パネル装置配設部５２になっており、該表示パネル装置配設部５２には、カーテンウォール１の屋外側に向けて表示を行う表示パネル装置５１が、外壁パネル体４４を支持する枠材である方立４２に支持された状態で配設されているが、第三の実施の形態のものでは、表示パネル装置５１を出し入れするための開口８１が表示パネル装置配設部５２の上方に設けられている。
尚、第三の実施の形態のものにおいて、カーテンウォール４１を構成する方立４２、無目４３、外壁パネル体４４、方立アタッチメント４６や、耐火パネル体４７、表示パネル装置５１は、前述した第二の実施の形態と同一或いは略同一のものであるため、同一の符号を附すとともに、説明を簡略あるいは省略する。さらに、上記以外のものでも第二の実施の形態と同一或いは略同一のものは、同一の符号を附すとともに、説明を簡略あるいは省略する。また、図７、図１５は第二の実施の形態のものを共用するが、図１５（Ａ）に示す表示パネル装置５１においてＬＥＤから延びるリード線の配線は、第二の実施の形態のものである。
【００４８】
前記表示パネル装置配設部５２の上方に設けられる開口８１は、第二中間無目４３Ｃ（スパンドレル部４１Ｂと該スパンドレル部４１Ｂの上階の窓部４１Ａとを区画する無目）と、該第二中間無目４３Ｃの屋内側に設けられる膳板８３の屋外側端面８３ａとの間に設けられている。つまり、膳板８３は、第二中間無目４３Ｃの屋内側から腰壁４５ｄの上部に至るように設けられるが、第三の実施の形態の膳板８３は、その屋外側端面８３ａの屋内外方向の位置が方立本体部４２Ａの屋内側面部４２Ａｃと略同位置に設定されていて、第二中間無目４３Ｃと間隔を存する状態となっている。そして、該第二中間無目４３Ｃと膳板８３との間の間隙は、表示パネル装置配設部５２の上方に位置していて、該表示パネル装置配設部５２に配設される表示パネル装置５１をスパンドレル部４１Ｂの上階の居住空間側から出し入れするための開口８１になっているとともに、該開口８１は、開閉自在な点検カバー８２によって覆蓋されている。
尚、図中、８４は耐火パネル体４７の上側位置において左右方向に延びる膳板用アングルであって、該膳板用アングル８４は、方立本体部４２Ａの屋内側面部４２Ａｃにネジ８４ａを介して固定されている。そして、該膳板用アングル８４に、前記膳板８３の屋外側端部がネジ８３ｂを介して取付けられている。
【００４９】
一方、前記表示パネル装置配設部５２には、表示パネル装置５１の下端部を支持するための左右の表示パネル装置支持プラケット８５と、表示パネル装置５１の左右縁部を支持するとともに表示パネル装置５１の上下移動をガイドするための左右のガイドレール６８とが設けられている。左右のガイドレール６８は、第二の実施の形態のものと同様であるため説明を省略するが、第三の実施の形態の表示パネル装置支持プラケット８５は、支持片８５ａと該支持片８５ａから立設される取付片８５ｂとからなるＬ字形状のものであって、左右のガイドレール６８の下端部において、取付片８５ｂが左右のガイドレール６８の溝底面６８ｂを間に介装する状態で方立本体部４２Ａの左右側面部４２Ａａにネジ８５ｃを介して固定されている。そして、表示パネル装置５１は、下端部（下枠６３ｄ）の左右両側が左右の表示パネル装置支持ブラケット８５の支持片８５ａに載置支持され、且つ、左右両端部（左右の縦枠６３ａ）が左右のガイドレール６８に嵌合支持されることによって、表示パネル装置配設部５２に安定した状態で保持されるようになっているが、前記表示パネル装置支持ブラケット８５およびガイドレール６８は共に方立本体部２Ａに取付けられており、而して、表示パネル装置５１は、これら表示パネル装置支持ブラケット８５およびガイドレール６８を介して方立４２に確実に支持されるようになっている。
尚、第三の実施の形態において出隅コーナー部４１Ｃで用いられるコーナー部用の表示パネル装置支持ブラケットの取付片、ガイドレールの溝底面の形状は、図示しないが、第二の実施の形態のコーナー部用の表示パネル装置支持ブラケット６７Ｘの取付片６７Ｘｂ、ガイドレール６８Ｘの溝底面６８Ｘｂと同様に、傾斜状に形成されている。
【００５０】
ここで、表示パネル装置５１は、前記第二の実施の形態において説明したように、上枠６３ｃを、該上枠６３ｃ以外の他の枠材（左右の縦枠６３ａ、下枠６３ｄ）やＬＥＤ支持バー６５はそのままの状態で、表示パネル装置５１の上側から螺入されるネジ６３ｅを介して表示パネル装置５１の上側から取付け、取外しできるようになっているとともに、上枠６３ｃが取外された状態の表示パネル装置５１に、表示パネル６１を、表示パネル装置５１の上側から組込み、組外しできるように構成されている。これにより、表示パネル装置５１を表示パネル装置配設部５２に配設したままの状態で、該表示パネル装置配設部５２の上方に設けられた開口８１から、表示パネル装置５１の上枠６３ｃの着脱と、表示パネル６１の表示パネル装置５１への組込み、組外しとを行うことができ、而して表示パネル６１のみを表示パネル装置配設部５２から出し入れできるようになっている。
【００５１】
また、第三の実施の形態の表示パネル装置５１において、ＬＥＤ６４に接続されるリード線は、上方に延びて受電側コネクタ６６に接続されている。一方、第一耐火パネル体４７Ａの上部には、屋内外方向に貫通する配線用貫通孔４７Ａａが形成されており、該配線用貫通孔４７Ａａを通して、耐火パネル体４７の屋内側に配置された電源盤５３から延びるハーネス５５が表示パネル装置配設部５２に引き出されるようになっている。そして、該表示パネル装置配設部５２に引き出されたハーネス５５の先端部に設けられた給電側コネクタ５６と前記受電側コネクタ６６とを接続することによってＬＥＤ６４への給電がなされるが、これら受電側コネクタ６６、給電側コネクタ５６の断続は、前記開口８１から行えるようになっている。
尚、第三の実施の形態において、前記電源盤５３へのアクセスは、腰壁４５ｄに開閉自在に設けられた腰壁側点検口４５ｆから行えるようになっている。
【００５２】
さらに、表示パネル装置配設部５２に配設された表示パネル装置５１と開口８１との間には、表示パネル装置配設部５２の上側を塞ぐ上側耐火ブロック９２が着脱自在に配設されている。該上側耐火ブロック９２は、第二の実施の形態の上側耐火ブロック７６と同様のものであって、第二の実施の形態と同様に上側耐火ブロック支持ブラケット９３に載置支持されているが、第三の実施の上側耐火ブロック支持ブラケット９３は、第二中間無目アダプター７５および支持アングル７８に対しネジ９３ａ、９３ｂを介して着脱自在に取付けられている。さらに、この上側耐火ブロック支持ブラケット９３の上側に、前記開口８１を開閉自在に覆蓋する点検カバー８２がネジ８２ａを介して着脱自在に取付けられているが、これら点検カバー８２用のネジ８２ａおよび上側耐火ブロック支持ブラケット９３用のネジ９３ａ、９３ｂは共に上側から螺入されるように設定されていて、点検カバー８２および上側耐火ブロック支持ブラケット９３の着脱作業を、スパンドレル部４１Ｂの上階の居住空間から行うことができるようになっている。尚、図中、８６は点検カバー８２の四周外縁部と、該四周外縁部に対向する第二中間無目４３Ｃの屋内側面部４３Ｃａ、膳板８３の屋外側端面８３ａ、方立本体部４２Ａの左右側面部４２Ａａとのあいだに嵌着されるビードである。
【００５３】
一方、８７は天井側額縁であって、該天井側額縁８７は、前記表示パネル装置配設部５２および耐火パネル体４７の下方に位置する状態で、第一中間無目４ＢＣ（スパンドレル部４１Ｂと該スパンドレル部４１Ｂの下階の窓部４１Ａとを区画する無目）から天井４５ｂに至るように設けられている。そして、天井側額縁８７は、その屋外側端面８７ａが第一中間無目４３Ｂの屋内側面部４３Ｂａに当接する状態で、第一中間無目４３Ｂに固定された天井側額縁用アングル８８にネジ８７ｂを介して取付け支持されている。尚、図中、９４は天井側額縁８７と方立本体部４２Ａの左右側面部４２Ａａとの間を塞ぐシーリングである。
【００５４】
さらに、前記天井側額縁８７の上側には、第一中間無目４３Ｂと第一耐火パネル体４７Ａの下部間に位置する状態で、表示パネル装置配設部５２の下側を塞ぐ下側耐火ブロック８９が配設されている。９０は下側耐火ブロック８９および前記第一耐火パネル体４７Ａの下端部を載置支持する左右の耐火体支持ブラケットであって、該耐火体支持ブラケット９０は、方立本体部４２Ａの左右側面部４２Ａａにネジ９０ａを介して固定されている。また、９１は下側耐火ブロックカバーであって、該下側耐火ブロックカバー９１は、下側耐火ブロック８９の上側を覆う上面９１ａと、第一中間無目４３Ｂにネジ９１ｂを介して固定される取付片９１ｃとを備えて形成されている。
【００５５】
そして、この様に構成された第三の実施の形態のものにおいて、表示パネル装置配設部５２に配設された表示パネル装置５１をメンテナンス等のために取り出す場合には、まず、表示パネル装置配設部５２が設けられたスパンドレル部４１Ｂの上階の居住空間側から、点検カバー８２の四周外縁部に緩着されたビード８６を取外し、次いで、点検カバー８２を取外して、表示パネル装置配設部５２の上方の開口８１を開く。さらに、該開口８１から上側耐火ブロック９２を取り出してから、上側耐火ブロック支持ブラケット９３を取外す。これにより、表示パネル装置配設部５２の上方は開放された状態となるが、この状態で、表示パネル装置５１のＬＥＤ６４に接続された受電側コネクタ６６を給電側コネクタ５６から外す。しかる後、表示パネル装置５１を上側に引き抜いて、表示パネル装置配設部５２から居住空間に取り出す。このときの表示パネル装置５１の上動は、表示パネル装置５１の左右両側が左右のガイドレール６８にガイドされることで安定した状態で行うことができる。
【００５６】
一方、表示パネル装置５１を表示パネル装置配設部５２に配設する場合には、表示パネル装置配設部５２が設けられたスパンドレル部４１Ｂの上階の居住空間から、開口８１を通して表示パネル装置配設部５２に表示パネル装置５１を収納する。このとき、表示パネル装置５１の左右両縁部を左右のガイドレール６８に嵌合させることにより、表示パネル装置５１の下動がガイドレール６８にガイドされた状態でスムーズに行われる。そして、表示パネル装置５１の下端部が表示パネル装置支持ブラケット８５の支持片８５ａに当接するまで下動させることにより、表示パネル装置５１が表示パネル装置５１に収納される。次いで、表示パネル装置５１の受電側コネクタ６６を給電側コネクタ５６に接続する。さらに、上側耐火ブロック支持ブラケット９３を取付け、上側耐火ブロック支持ブラケット９３に上側耐火ブロック９２を載置する。しかる後、点検カバー８２を取付けて開口８１を塞ぎ、さらに該点検カバー８２の四周外縁部にビード８６を嵌着することによって、表示パネル装置５１の表示パネル装置配設部５２への配設作業が完了するようになっている。
【００５７】
さらに、第三の実施の形態のものでは、表示パネル装置５１を表示パネル装置配設部５２に配設したままの状態で、表示パネル６１のみを表示パネル装置配設部５２から出し入れすることができる。この場合には、まず、前述した表示パネル装置５１を取り出す場合と同様の手順で、ビード８６、点検カバー８２、上側耐火ブロック９２、上側耐火ブロック支持ブラケット９３を取外して、表示パネル装置配設部５２の上方を開放された状態にする。この状態で、表示パネル装置配設部５２に配設されたままの表示パネル装置５１から上枠６３ｃを取外すことにより、表示パネル６１のみを表示パネル装置配設部５２から取出すことができる。そして、新しくセットする表示パネル６１を、前記上枠６３ｃが取り外された状態の表示パネル装置５１に上側から組込んだ後、上枠６３ｃを取付け、さらに前述した表示パネル装置５１を収納する場合と同様の手順で、上側耐火ブロック支持ブラケット９３、上側耐火ブロック９２、点検カバー８２、ビード８６を取付けることによって、表示パネル６１のみの交換やメンテナンスを行うことができるようになっている。
【００５８】
而して、この様に構成された第三の実施の形態のものにおいても、第一、第二の実施の形態のものと同様に、スパンドレル部４１Ｂの外壁パネル体４４と躯体構造物４５との間の空間部が表示パネル装置配設部５２になっていて、該表示パネル装置配設部５２には、カーテンウォール１の屋外側に向けて表示を行う表示パネル装置５１が配設されているが、該表示パネル装置５１は、表示パネル装置支持ブラケット８５およびガイドレール６８を介して方立４２に支持されることになる。よって、第三の実施の形態のものも、第一、第二の実施の形態と同様に、スパンドレル部４１Ｂを利用して表示パネル装置５１を配設できるとともに、該表示パネル装置５１を確実かつ精度よく支持できることになって、第一、第二の実施の形態と同様の作用効果を奏することになるが、第三の実施の形態のものは、表示パネル装置５１を出し入れするための開口８１が表示パネル装置配設部５２の上方に設けられている。これにより、表示パネル装置配設部５２に配された表示パネル装置５１を、表示パネル装置配設部５２が設けられたスパンドレル部４１Ｂの上階の居住空間側から出し入れできるとともに、表示パネル装置５１の出し入れに際し、表示パネル装置配設部５２において表示パネル装置５１の下端部を支持する表示パネル装置支持ブラケット８５を着脱する必要がなく、よって、表示パネル装置５１の出し入れ作業を容易且つ効率良く行うことができる。
【００５９】
さらに第三の実施の形態のものにおいて、表示パネル装置５１は、文字、図柄等の表示がなされた表示パネル６１と、該表示パネル６１が組込まれる枠体６３とを備えて構成されており、該枠体６３は、表示パネル装置５１を表示パネル装置配設部５２に配設したままの状態で、該表示パネル装置配設部５２の上方の開口８１から着脱自在な上枠６３ｃを備えるとともに、該上枠６３ｃを取外した状態で表示パネル６１を開口８１から表示パネル装置５１に組込み、組外し自在に構成されている。この結果、表示パネル６１のみの交換やメンテナンス等を行う場合には、表示パネル装置５１全体を表示パネル装置配設部５２から出し入れする必要はなく、表示パネル６１のみを出し入れすれば良いことになって、さらなる作業効率の向上に寄与できる。
【００６０】
次いで、本発明の第四の実施の形態について、図２２〜図２５に基づいて説明するが、該第四の実施の形態のものも、前述した第一〜第三の実施の形態のものと同様に、スパンドレル部４１Ｂの外壁パネル体４４と躯体構造物４５との間の空間部（第四の実施の形態では、第一〜第三の実施の形態と同様に、スパンドレル部４１Ｂの外壁パネル体４４と躯体構造物４５との間に耐火パネル体４７が配されており、該耐火パネル体４７と外壁パネル体４４との間の空間部）が表示パネル装置配設部５２になっており、該表示パネル装置配設部５２には、カーテンウォール１の屋外側に向けて表示を行う表示パネル装置５１が、外壁パネル体４４を支持する枠材である方立４２に支持された状態で配設されている。
尚、第四の実施の形態のものにおいて、カーテンウォール４１を構成する方立４２、無目４３、外壁パネル体４４、方立アタッチメント４６や、耐火パネル体４７、表示パネル装置５１は、前述した第二、第三の実施の形態と同一或いは略同一のものであるため、同一の符号を附すとともに、説明を簡略あるいは省略する。さらに、上記以外のものでも第二、第三の実施の形態と同一或いは略同一のものは、同一の符号を附すとともに、説明を簡略あるいは省略する。また、図７、図１５は第二の実施の形態のものを共用するが、前述したように、図１５（Ａ）に示す表示パネル装置においてＬＥＤから延びるリード線の配線は、第二の実施の形態のものである。
【００６１】
つまり、第四の実施の形態の表示パネル装置配設部５２も、スパンドレル部４１Ｂの外壁パネル体４４と躯体構造物４５との間に設けられているが、第四の実施の形態の表示パネル装置配設部５２には、表示パネル装置５１の下端部を支持するための左右の表示パネル装置支持プラケット８５と、表示パネル装置５１の左右縁部を支持する左右の屋内側表示パネル装置支持フレーム９５および左右の屋外側表示パネル装置支持フレーム９６が設けられている。
【００６２】
前記屋内側表示パネル装置支持フレーム９５は、水平断面Ｌ字形状のものであって、方立本体部４２Ａの左右側面部４２Ａａにネジ９５ａを介して取付けられる取付面部９５ｂと、該取付面部９５ｂの屋内側端部から折曲形成され、表示パネル装置５１の左右縁部（左右の縦枠６３ａ）の屋内側に当接あるいは近接する支持面部９５ｃとから形成されている。また、屋外側表示パネル装置支持フレーム９６は、屋内側表示パネル装置支持フレーム９５と同様に水平断面Ｌ字形状のものであって、屋内側表示パネル装置支持フレーム９５の屋外側において方立本体部４２Ａの左右側面部４２Ａａにネジ９６ａを介して着脱自在に取付けられる取付面部９６ｂと、該取付面部９６ｂの屋内側端部から折曲形成され、表示パネル装置５１の左右縁部の屋外側に当接あるいは近接する支持面部９６ｃとから形成されるが、該屋外側表示パネル装置支持フレーム９６は、後述するように外壁パネル体４４を取外した状態で、屋外側から着脱できるようになっている。さらに、左右の表示パネル装置支持プラケット８５は、第三の実施の形態の表示パネル装置支持プラケット８５と同様のものであるため説明を省略するが、第四の実施の形態の表示パネル装置支持プラケット８５は、屋内側表示パネル装置支持フレーム９５の下端部において、取付片８５ｂが屋内側表示パネル装置支持フレーム９５の取付面部９５ｂを間に介装する状態で、方立本体部４２Ａの左右側面部４２Ａａにネジ８５ｃを介して固定されている。そして、表示パネル装置５１は、下端部の左右両側が左右の表示パネル装置支持ブラケット８５の支持片８５ａに載置支持され、且つ、左右両端部が屋内側、屋外側表示パネル装置支持フレーム９５、９６の両支持面部９５ｃ、９６ｃ間に嵌合支持されることによって、表示パネル装置配設部５２に安定した状態で保持されるようになっているが、前記表示パネル装置支持ブラケット８５および屋内側、屋外側表示パネル装置支持フレーム９５、９６は共に方立本体部２Ａに取付けられており、而して、表示パネル装置５１は、これら表示パネル装置支持ブラケット８５および屋内側、屋外側表示パネル装置支持フレーム９５、９６介して方立４２に確実に支持されるようになっている。
尚、第四の実施の形態において、表示パネル装置配設部５２の上側に配される上側耐火ブロック７６や、第二中間無目（スパンドレル部４１Ｂと該スパンドレル部４１Ｂの上階の窓部４１Ａとを区画する無目）４３Ｃの屋内側に設けられる膳板７４の構成は第二の実施の形態と同様であり、また、表示パネル装置配設部５２の下側に配される下側耐火ブロック８９や、第一中間無目（スパンドレル部４１Ｂと該スパンドレル部４１Ｂの下階の窓部４１Ａとを区画する無目）４３Ｂの屋内側に設けられる天井側額縁８７の構成は第三の実施の形態と同様であるため、それぞれ説明を省略する。
【００６３】
一方、第四の実施の形態のものは、第一〜第三の実施の形態とは異なり、居住空間側から表示パネル装置５１を出し入れするための開口は設けられておらず、表示パネル装置５１を交換やメンテナンス等のために表示パネル装置配設部５２から出し入れする場合には、スパンドレル部４１Ｂの外壁パネル体４４を取外して、カーテンウォール１の屋外側から表示パネル装置５１を出し入れする構成になっている。
【００６４】
ここで、外壁パネル体４４は、前記第二の実施の形態において説明したように、左右縦辺部が方立４２に形成されるパネル嵌合溝４２Ｂｂに、また、上下辺部が無目４３に形成されるパネル嵌合溝４３ａにそれぞれビート１０およびシーリング材１１を介して嵌合支持されているが、外壁パネル体４４の左右縦辺部および上下辺部の屋外側をシールしているシーリング材１１を屋外側から取外す（切り取る）ことにより、外壁パネル体４４を屋外側から取外すことができるようになっている。一方、取外した外壁パネル体４４を取付ける場合には、左右縦辺部および上下辺部を方立４２および無目４３のパネル嵌合溝４２Ｂｂ、４３ａに嵌合させた状態で、屋外側からシーリング材１１をパネル嵌合溝４２Ｂｂ、４３ａに充填することにより元通りに取付けることができる。
【００６５】
そして、この様に構成された第四の実施の形態のものにおいて、表示パネル装置配設部５２に配設された表示パネル装置５１を交換やメンテナンス等のために取り出す場合には、まず、前述したようにして、外壁パネル体４４を屋外側から取外して、表示パネル装置配設部５２の屋外側を開放された状態にする。次いで、屋外側表示パネル装置支持フレーム９６を取外すが、この場合、屋外側表示パネル装置支持フレーム９６は、方立本体部２Ａの左右側面部４２Ａａにネジ９６ａを介して着脱自在に取付けられる取付面部９６ｂが支持面部９６ｃの屋外側に設けられているため、屋外側から容易に取外すことができる。さらに、表示パネル装置５１のＬＥＤ６４に接続された受電側コネクタ６６を給電側コネクタ５６から外し、しかる後、表示パネル装置５１を表示パネル装置配設部５２から屋外側に取出す。
【００６６】
一方、表示パネル装置５１を表示パネル装置配設部５２に配設する場合には、外壁パネル体４４が取外された状態のスパンドレル部４１Ｂの屋外側から、表示パネル装置５１を表示パネル装置配設部５２に収納する。このとき、表示パネル装置５１の下端部を表示パネル装置支持ブラケット８５の支持片８５ａに装置支持せしめるとともに、表示パネル装置５１の左右両縁部を屋内側表示パネル装置支持フレーム９５の支持面部９５ｃに当接させる。次いで、屋外側表示パネル装置支持フレーム９６の取付面部９６ｂを方立本体部４２Ａの左右面部４２Ａａにネジ９６ａにより取付けて、該屋外側表示パネル装置支持フレーム９６の支持面部９５ｃと前記屋内側表示パネル装置支持フレーム９５の支持面部９５ｃとの間に表示パネル装置５１の左右両縁部を嵌合支持する。さらに、表示パネル装置５１の受電側コネクタ６６を給電側コネクタ５６に接続する。しかる後、外壁パネル体４４の左右縦辺部および上下辺部を方立４２および無目４３のパネル嵌合溝４２Ｂｂ、４３ａに嵌合させた状態で、屋外側からパネル嵌合溝４２Ｂｂ、４３ａにシーリング材１１を充填して外壁パネル体４４を取付る。
【００６７】
而して、この様に構成された第四の実施の形態のものにおいても、第一〜第三の実施の形態のものと同様に、スパンドレル部４１Ｂの外壁パネル体４４と躯体構造物４５との間の空間部が表示パネル装置配設部５２になっていて、該表示パネル装置配設部５２には、カーテンウォール１の屋外側に向けて表示を行う表示パネル装置５１が配設されているとともに、該表示パネル装置５１は、表示パネル装置支持ブラケット８５および屋内側、屋外側表示パネル装置支持フレーム９５、９６を介して、外壁パネル体４４を支持する枠材である方立４２に支持されており、よって、第一〜第三の実施の形態と同様の作用効果を奏することになるが、第四の実施の形態のものは、表示パネル装置配設部５２の屋外側の外壁パネル体４４が屋外側から取外し可能であり、該外壁パネル体４４を取外した状態で、表示パネル装置５１を屋外側から表示パネル装置配設部５２に出し入れすることになる。これにより、表示パネル装置配設部５２の上方或いは下方の居住空間側に表示パネル装置５１を出し入れするためのスペースを確保できないような場合であっても、表示パネル装置５１を表示パネル装置配設部５２に屋外側から出し入れすることができて、表示パネル装置５１の交換やメンテナンス等を行えることになる。
【００６８】
尚、本発明は上記第一〜第四の実施の形態に限定されないことは勿論であって、上記各実施の形態では、建物の外壁として、方立と無目とを枠材として外壁パネル体が組み込まれたカーテンウォールを例示したが、このようなカーテンウォールだけでなく、例えば、サッシ枠を枠材として外壁パネル体が組み込まれた外壁等であっても、窓部とスパンドレル部とが設けられている外壁であれば、本発明を実施できる。
また、上記第一〜第四の実施の形態では、躯体構造物として腰壁が設けられているが、腰壁が設けられていない場合であっても、本発明を実施できることは勿論である。
さらに、上記第一〜第四の実施の形態では、窓部もスパンドレル部も外壁パネル体として透明なガラス材が用いられているが、このように全ての外壁パネル体が透明な材質のものでなくても、スパンドレル部の少なくとも一部、つまり、表示パネル装置が配設される部分の外壁パネル体が透明または透光性を有していれば、本発明を実施できる。
さらに、上記第一〜第四の実施の形態では、スパンドレル部の外壁パネル体と躯体構造物との間に耐火パネル体が配設されているが、延焼の惧れがなく耐火パネル体が配されていないスパンドレル部（例えば、最上階の窓部の上側に設けられるスパンドレル部）であっても、本発明を実施できる。
さらに、上記第一〜第四の実施の形態では、表示パネル装置配設部に配設された表示パネル装置は、外壁パネル体を支持する枠材である方立に支持される構成になっているが、表示パネル装置を、外壁パネル体を支持する他の枠材（例えば、無目）に支持せしめたり、或いは、外壁パネル体を支持する枠材にスペースがないような場合（例えば、外壁パネル体を支持する枠材がサッシ枠の場合）には、外壁パネル体を支持する枠材に連結される額縁部材に表示パネル装置を支持せしめる構成にすることもできる。このようにしても、外壁パネル体を支持する枠材または額縁部材を利用して、表示パネル装置を確実に支持できることになる。
さらに、表示パネル装置の出し入れをガイドするガイドレールは、第一の実施の形態では耐火パネル体を支持する支持フレーム体に設けられており、また、第二、第三の実施の形態では、外壁パネル体を支持する枠材である方立に設けられているが、これらに限定されることなく、外壁パネル体を支持する他の枠材や、該枠材に連結される額縁部材等に設けることもできる。
さらに、上記第一〜第三の実施の形態では、表示パネル装置配設部の下方或いは上方に設けられた開口を開閉自在に覆蓋する蓋体を、外壁パネル体を支持する枠材または該枠材に固定される部材（無目アダプターやアングル、ブラケット等）に着脱自在に支持せしめたが、外壁パネル体を支持する枠材に連結される額縁部材に蓋体を着脱自在に支持せしめる構成にすることもできる。
さらに、上記第一の実施の形態では、前記蓋体を着脱自在に支持せしめる手段としてラッチを用いたが、第二、第三の実施の形態の如く、着脱自在なネジ等を用いることもできる。
さらに、表示パネル装置を居住空間側から出し入れ自在に構成するにあたり、上記第一、第二の実施の形態では、表示パネル装置配設部の下方に表示パネル装置を出し入れするための開口が設けられており、また、第三の実施の形態では、表示パネル装置配設部の上方に開口が設けられているが、スパンドレル部の左右側方に窓部が設けられているような場合には、表示パネル装置配設部の左右側方に開口を設けることもできる。
さらに、上記第一〜第四の実施の形態では、表示パネルと導光パネルと光源を備えた表示パネル装置を例示したが、表示パネル装置としては、例えば、光源のないもの、ＬＥＤそのもので文字や画を表示するもの等、様々な形態のものを採用できる。
さらに、上記第一〜第四の実施の形態では、表示パネル装置を居住空間側或いは屋外側から表示パネル装置配設部に出し入れ自在に構成されており、これにより表示パネル装置の交換やメンテナンスの作業性の向上が図られているが、このように表示パネル装置が表示パネル装置配設部に出し入れ自在に構成されていない場合（例えば、交換やメンテナンスの不要な表示パネル装置を配設する場合や、表示パネル装置配設部に配設したままの状態で部品の交換やメンテナンスを行えるように構成した場合）であっても、本発明を実施できることは勿論である。
さらに、本発明を実施するにあたり、表示パネル装置の重量に釣合うバランサーを設けて、表示パネル装置の出し入れ作業を軽い操作力で行える構成にすることもできる。
【産業上の利用可能性】
【００６９】
本発明は、カーテンウォール等の建物外壁部に表示パネル装置を設ける場合に利用することができる。
【符号の説明】
【００７０】
１  カーテンウォール
１Ａ  窓部
１Ｂ  スパンドレル部
２  方立
３  無目
４  外壁パネル体
５  躯体構造物
１６  耐火パネル体
１７  表示パネル装置
１８  表示パネル装置配設部
４１  カーテンウォール
４１Ａ  窓部
４１Ｂ  スパンドレル部
４２  方立
４３  無目
４４  外壁パネル体
４５  躯体構造物
４７  耐火パネル体
５１  表示パネル装置
５２  表示パネル装置配設部
【図１】
2017137748.tif 000003
【図２】
2017137748.tif 000004
【図３】
2017137748.tif 000005
【図４】
2017137748.tif 000006
【図５】
2017137748.tif 000007
【図６】
2017137748.tif 000008
【図７】
2017137748.tif 000009
【図８】
2017137748.tif 000010
【図９】
2017137748.tif 000011
【図１０】
2017137748.tif 000012
【図１１】
2017137748.tif 000013
【図１２】
2017137748.tif 000014
【図１３】
2017137748.tif 000015
【図１４】
2017137748.tif 000016
【図１５】
2017137748.tif 000017
【図１６】
2017137748.tif 000018
【図１７】
2017137748.tif 000019
【図１８】
2017137748.tif 000020
【図１９】
2017137748.tif 000021
【図２０】
2017137748.tif 000022
【図２１】
2017137748.tif 000023
【図２２】
2017137748.tif 000024
【図２３】
2017137748.tif 000025
【図２４】
2017137748.tif 000026
【図２５】
2017137748.tif 000027
【手続補正書】
【提出日】平成28年12月28日(2016.12.28)
【手続補正１】
【補正対象書類名】明細書
【補正対象項目名】０００５
【補正方法】変更
【補正の内容】
【０００５】
本発明は、上記の如き実情に鑑みこれらの課題を解決することを目的として創作されたものであって、請求項１の発明は、外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示パネル装置配設部とし、該表示パネル装置配設部に、外壁の屋外側に向けて表示を行う表示パネル装置を配設するにあたり、該表示パネル装置を、外壁パネル体を支持する枠材または該枠材に連結される額縁部材に支持せしめると共に、表示パネル装置配設部の少なくとも上方位置で該表示パネル装置配設部に積層する耐火材を配したことを特徴とする建物外壁部における表示パネル装置の配設構造である。
請求項２の発明は、請求項１において、耐火材は、表示パネル装置配設部の上下を塞ぐことで表示パネル装置配設部の上下に積層するよう配されていることを特徴とする建物外壁部における表示パネル装置の配設構造である。
請求項３の発明は、請求項１または２において、耐火材は、表示パネル装置配設部に対して着脱できるように配されていることを特徴とする建物外壁部における表示パネル装置の配設構造である。
請求項４の発明は、請求項２または該請求項２を受ける請求項３において、表示パネル装置配設部の上下および屋内側は、前記上下の耐火材と、表示パネル装置配設部の屋内側に配した耐火材とにより囲撓されていることを特徴とする建物外壁部における表示パネル装置の配設構造である。
【手続補正２】
【補正対象書類名】明細書
【補正対象項目名】００１６
【補正方法】変更
【補正の内容】
【００１６】
また、２４は第二中間無目（スパンドレル部１Ｂと該スパンドレル部１Ｂの上階の窓部１Ａとを区画する無目）３Ｃの屋内側に設けられる床側額縁であって、該床側額縁２４は、前記支持フレーム体１９の上フレーム１９ａの上側に位置し、且つ、左右に隣接する方立２の方立本体部２Ａ間に支架される状態で、第二中間無目３Ｃの屋内側面部３ｂおよび方立本体部２Ａの左右側面部２ａ、２ｂに取付けられている。そして、該床側額縁２４の屋内側は、床５ａから立設される腰壁５ｄの上部に膳板２５ａを介して連結されている。
尚、図中、２６はロックウール等から構成される耐火材であって、該耐火材２６は、図２、３から明らかなように、表示パネル装置配設部１８の上方位置において該表示パネル装置配設部１８に積層している。
【手続補正３】
【補正対象書類名】明細書
【補正対象項目名】００２２
【補正方法】変更
【補正の内容】
【００２２】
而して、前記表示パネル装置１７によって、カーテンウォール１の屋外側に向けて宣伝広告や装飾等の様々な表示を行えることになるが、この表示パネル装置１７は、スパンドレル部１Ｂの外壁パネル体４と躯体構造部５との間の表示パネル装置配設部１８に配設されているため、屋外側からの目隠しが必要であるスパンドレル部１Ｂを利用して、窓部１Ａの採光や屋内側からの視認性が損なわれる惧れがない状態で、表示パネル装置１７を配設できることになる。しかも、表示パネル装置配設部１８は外壁パネル体４の屋内側であるから、表示パネル装置１７の雨仕舞の必要もなく、また、屋外広告物としての条例の規制も受けないことになる。
【手続補正４】
【補正対象書類名】明細書
【補正対象項目名】００３５
【補正方法】変更
【補正の内容】
【００３５】
さらに、第一中間無目（スパンドレル部４１Ｂと該スパンドレル部４１Ｂの下階の窓部４１Ａとを区画する無目）４３Ｂの屋内側には、天井４５ｂに連結される天井側額縁５８が配設されているが、該天井側額縁５８は、その屋外側端面５８ｂの屋内外方向の位置が方立本体部４２Ａの屋内側面部４２Ａｃと略同位置に設定されていて、第一中間無目４３Ｂとは間隔を存する状態になっている。そして、該第一中間無目４３Ｂと天井側額縁５８との間の間隔は、前記表示パネル装置配設部５２の下方に位置していて、該表示パネル装置配設部５２に配設される表示パネル装置５１をスパンドレル部４１Ｂの下階の居住空間側から出し入れするための開口５９となっているとともに、該開口５９は、後述する点検カバー６０によって開閉自在に覆蓋されるようになっている。
尚、図中、５７は耐火パネル体４７の下側位置において左右方向に延びる額縁用アングルであって、該額縁用アングル５７は、方立本体部４２Ａの屋内側面部４２Ａｃにネジ５７ａを介して固定されている。そして、該額縁用アングル５７に、前記天井側額縁５８の屋外側端部がネジ５８ａを介して取付けられている。
【手続補正５】
【補正対象書類名】明細書
【補正対象項目名】００３８
【補正方法】変更
【補正の内容】
【００３８】
さらに、前記表示パネル装置５１が配設される表示パネル装置配設部５２は、前述したように、スパンドレル部４１Ｂの外壁パネル体４４と耐火パネル体４７との間で、且つ、左右に隣接する方立本体部４２Ａの間の空間部に設けられるが、該表示パネル装置配設部５２には、表示パネル装置５１の下端部を支持するための左右の表示パネル装置支持ブラケット６７と、表示パネル装置５１の左右縁部を支持するとともに表示パネル装置５１の上下移動をガイドするための左右のガイドレール６８とが設けられている。
【手続補正６】
【補正対象書類名】明細書
【補正対象項目名】００４３
【補正方法】変更
【補正の内容】
【００４３】
さらに、前記膳板７４の下側には、第二中間無目アダプター７５と第一耐火パネル体４７Ａの上部間に位置する状態で、表示パネル装置配設部５２の上側を塞ぐ上側耐火ブロック７６が配設されている。該上側耐火ブロック７６は、前記下側耐火ブロック７０と同様に耐火材から構成されるものであって、上側耐火ブロック支持ブラケット７７に載置支持されているが、該上側耐火ブロック支持ブラケット７７は、屋外側端部がネジ７７ａを介して第二中間無目アダプター７５に取付けられ、また、屋内側端部がネジ７７ｂを介して支持アングル７８に取付けられている。該支持アングル７８は、第一耐火パネル体４７Ａの上側位置において、方立本体部４２Ａの左右側面部４２Ａａに固定された左右のアングル用ブラケット７９にネジ７８ａを介して取付け支持される状態で、左右に隣接する方立４２の方立本体部４２Ａ間に支架されている。
尚、前述した下側耐火ブロック７０、上側耐火ブロック７６は、耐火材であって、火災時における延焼を防止するべく表示パネル装置配設部５２の上下を耐火材で塞ぐものであるが、図９から明らかなように、表示パネル装置配設部５２の上下および屋内側は、耐火材である下側耐火ブロック７０、上側耐火ブロック７６、並びに前記耐火パネル体４７により囲撓されている。
【手続補正７】
【補正対象書類名】明細書
【補正対象項目名】００４６
【補正方法】変更
【補正の内容】
【００４６】
而して、第二の実施の形態のものにおいても、第一の実施の形態のものと同様に、スパンドレル部４１Ｂの外壁パネル体４４と躯体構造物４５との間の空間部（第二の実施の形態のものでは、第一の実施の形態と同様に、スパンドレル部４１Ｂの外壁パネル体４４と躯体構造物４５との間に耐火パネル体４７が配されており、該耐火パネル体４７と外壁パネル体４４との間の空間部）が表示パネル装置配設部５２になっており、該表示パネル装置配設部５２には、カーテンウォール４１の屋外側に向けて表示を行う表示パネル装置５１が配設されているとともに、該表示パネル装置配設部５２に配設された表示パネル装置５１は、表示パネル装置支持ブラケット６７およびガイドレール６８を介して方立４２に支持されることになる。よって、第二の実施の形態のものも、第一の実施の形態と同様に、スパンドレル部４１Ｂを利用して表示パネル装置５１を配設できるとともに、該表示パネル装置配設部５２に配設された表示パネル装置５１は、外壁パネル体４４を支持する枠材であり、且つ、躯体構造物に固定される縦材である方立４２に支持されることになって、表示パネル装置５１を確実かつ強固に支持できるとともに、外壁パネル体４４に対する位置調整を精度良く行えることになって、第一の実施の形態と同様の作用効果を奏する。
【手続補正８】
【補正対象書類名】明細書
【補正対象項目名】００４９
【補正方法】変更
【補正の内容】
【００４９】
一方、前記表示パネル装置配設部５２には、表示パネル装置５１の下端部を支持するための左右の表示パネル装置支持ブラケット８５と、表示パネル装置５１の左右縁部を支持するとともに表示パネル装置５１の上下移動をガイドするための左右のガイドレール６８とが設けられている。左右のガイドレール６８は、第二の実施の形態のものと同様であるため説明を省略するが、第三の実施の形態の表示パネル装置支持ブラケット８５は、支持片８５ａと該支持片８５ａから立設される取付片８５ｂとからなるＬ字形状のものであって、左右のガイドレール６８の下端部において、取付片８５ｂが左右のガイドレール６８の溝底面６８ｂを間に介装する状態で方立本体部４２Ａの左右側面部４２Ａａにネジ８５ｃを介して固定されている。そして、表示パネル装置５１は、下端部（下枠６３ｄ）の左右両側が左右の表示パネル装置支持ブラケット８５の支持片８５ａに載置支持され、且つ、左右両端部（左右の縦枠６３ａ）が左右のガイドレール６８に嵌合支持されることによって、表示パネル装置配設部５２に安定した状態で保持されるようになっているが、前記表示パネル装置支持ブラケット８５およびガイドレール６８は共に方立本体部２Ａに取付けられており、而して、表示パネル装置５１は、これら表示パネル装置支持ブラケット８５およびガイドレール６８を介して方立４２に確実に支持されるようになっている。
尚、第三の実施の形態において出隅コーナー部４１Ｃで用いられるコーナー部用の表示パネル装置支持ブラケットの取付片、ガイドレールの溝底面の形状は、図示しないが、第二の実施の形態のコーナー部用の表示パネル装置支持ブラケット６７Ｘの取付片６７Ｘｂ、ガイドレール６８Ｘの溝底面６８Ｘｂと同様に、傾斜状に形成されている。
【手続補正９】
【補正対象書類名】明細書
【補正対象項目名】００５６
【補正方法】変更
【補正の内容】
【００５６】
一方、表示パネル装置５１を表示パネル装置配設部５２に配設する場合には、表示パネル装置配設部５２が設けられたスパンドレル部４１Ｂの上階の居住空間から、開口８１を通して表示パネル装置配設部５２に表示パネル装置５１を収納する。このとき、表示パネル装置５１の左右両縁部を左右のガイドレール６８に嵌合させることにより、表示パネル装置５１の下動がガイドレール６８にガイドされた状態でスムーズに行われる。そして、表示パネル装置５１の下端部が表示パネル装置支持ブラケット８５の支持片８５ａに当接するまで下動させることにより、表示パネル装置５１が表示パネル装置配設部５２に収納される。次いで、表示パネル装置５１の受電側コネクタ６６を給電側コネクタ５６に接続する。さらに、上側耐火ブロック支持ブラケット９３を取付け、上側耐火ブロック支持ブラケット９３に上側耐火ブロック９２を載置する。しかる後、点検カバー８２を取付けて開口８１を塞ぎ、さらに該点検カバー８２の四周外縁部にビード８６を嵌着することによって、表示パネル装置５１の表示パネル装置配設部５２への配設作業が完了するようになっている。
【手続補正１０】
【補正対象書類名】明細書
【補正対象項目名】００５８
【補正方法】変更
【補正の内容】
【００５８】
而して、この様に構成された第三の実施の形態のものにおいても、第一、第二の実施の形態のものと同様に、スパンドレル部４１Ｂの外壁パネル体４４と躯体構造物４５との間の空間部が表示パネル装置配設部５２になっていて、該表示パネル装置配設部５２には、カーテンウォール４１の屋外側に向けて表示を行う表示パネル装置５１が配設されているが、該表示パネル装置５１は、表示パネル装置支持ブラケット８５およびガイドレール６８を介して方立４２に支持されることになる。よって、第三の実施の形態のものも、第一、第二の実施の形態と同様に、スパンドレル部４１Ｂを利用して表示パネル装置５１を配設できるとともに、該表示パネル装置５１を確実かつ精度よく支持できることになって、第一、第二の実施の形態と同様の作用効果を奏することになるが、第三の実施の形態のものは、表示パネル装置５１を出し入れするための開口８１が表示パネル装置配設部５２の上方に設けられている。これにより、表示パネル装置配設部５２に配された表示パネル装置５１を、表示パネル装置配設部５２が設けられたスパンドレル部４１Ｂの上階の居住空間側から出し入れできるとともに、表示パネル装置５１の出し入れに際し、表示パネル装置配設部５２において表示パネル装置５１の下端部を支持する表示パネル装置支持ブラケット８５を着脱する必要がなく、よって、表示パネル装置５１の出し入れ作業を容易且つ効率良く行うことができる。
【手続補正１１】
【補正対象書類名】明細書
【補正対象項目名】００６１
【補正方法】変更
【補正の内容】
【００６１】
つまり、第四の実施の形態の表示パネル装置配設部５２も、スパンドレル部４１Ｂの外壁パネル体４４と躯体構造物４５との間に設けられているが、第四の実施の形態の表示パネル装置配設部５２には、表示パネル装置５１の下端部を支持するための左右の表示パネル装置支持ブラケット８５と、表示パネル装置５１の左右縁部を支持する左右の屋内側表示パネル装置支持フレーム９５および左右の屋外側表示パネル装置支持フレーム９６が設けられている。
【手続補正１２】
【補正対象書類名】明細書
【補正対象項目名】００６２
【補正方法】変更
【補正の内容】
【００６２】
前記屋内側表示パネル装置支持フレーム９５は、水平断面Ｌ字形状のものであって、方立本体部４２Ａの左右側面部４２Ａａにネジ９５ａを介して取付けられる取付面部９５ｂと、該取付面部９５ｂの屋内側端部から折曲形成され、表示パネル装置５１の左右縁部（左右の縦枠６３ａ）の屋内側に当接あるいは近接する支持面部９５ｃとから形成されている。また、屋外側表示パネル装置支持フレーム９６は、屋内側表示パネル装置支持フレーム９５と同様に水平断面Ｌ字形状のものであって、屋内側表示パネル装置支持フレーム９５の屋外側において方立本体部４２Ａの左右側面部４２Ａａにネジ９６ａを介して着脱自在に取付けられる取付面部９６ｂと、該取付面部９６ｂの屋内側端部から折曲形成され、表示パネル装置５１の左右縁部の屋外側に当接あるいは近接する支持面部９６ｃとから形成されるが、該屋外側表示パネル装置支持フレーム９６は、後述するように外壁パネル体４４を取外した状態で、屋外側から着脱できるようになっている。さらに、左右の表示パネル装置支持ブラケット８５は、第三の実施の形態の表示パネル装置支持ブラケット８５と同様のものであるため説明を省略するが、第四の実施の形態の表示パネル装置支持ブラケット８５は、屋内側表示パネル装置支持フレーム９５の下端部において、取付片８５ｂが屋内側表示パネル装置支持フレーム９５の取付面部９５ｂを間に介装する状態で、方立本体部４２Ａの左右側面部４２Ａａにネジ８５ｃを介して固定されている。そして、表示パネル装置５１は、下端部の左右両側が左右の表示パネル装置支持ブラケット８５の支持片８５ａに載置支持され、且つ、左右両端部が屋内側、屋外側表示パネル装置支持フレーム９５、９６の両支持面部９５ｃ、９６ｃ間に嵌合支持されることによって、表示パネル装置配設部５２に安定した状態で保持されるようになっているが、前記表示パネル装置支持ブラケット８５および屋内側、屋外側表示パネル装置支持フレーム９５、９６は共に方立本体部２Ａに取付けられており、而して、表示パネル装置５１は、これら表示パネル装置支持ブラケット８５および屋内側、屋外側表示パネル装置支持フレーム９５、９６介して方立４２に確実に支持されるようになっている。
尚、第四の実施の形態において、表示パネル装置配設部５２の上側に配される上側耐火ブロック７６や、第二中間無目（スパンドレル部４１Ｂと該スパンドレル部４１Ｂの上階の窓部４１Ａとを区画する無目）４３Ｃの屋内側に設けられる膳板７４の構成は第二の実施の形態と同様であり、また、表示パネル装置配設部５２の下側に配される下側耐火ブロック８９や、第一中間無目（スパンドレル部４１Ｂと該スパンドレル部４１Ｂの下階の窓部４１Ａとを区画する無目）４３Ｂの屋内側に設けられる天井側額縁８７の構成は第三の実施の形態と同様であるため、それぞれ説明を省略する。
【手続補正１３】
【補正対象書類名】明細書
【補正対象項目名】００６５
【補正方法】変更
【補正の内容】
【００６５】
そして、この様に構成された第四の実施の形態のものにおいて、表示パネル装置配設部５２に配設された表示パネル装置５１を交換やメンテナンス等のために取り出す場合には、まず、前述したようにして、外壁パネル体４４を屋外側から取外して、表示パネル装置配設部５２の屋外側を開放された状態にする。次いで、屋外側表示パネル装置支持フレーム９６を取外すが、この場合、屋外側表示パネル装置支持フレーム９６は、方立本体部４２Ａの左右側面部４２Ａａにネジ９６ａを介して着脱自在に取付けられる取付面部９６ｂが支持面部９６ｃの屋外側に設けられているため、屋外側から容易に取外すことができる。さらに、表示パネル装置５１のＬＥＤ６４に接続された受電側コネクタ６６を給電側コネクタ５６から外し、しかる後、表示パネル装置５１を表示パネル装置配設部５２から屋外側に取出す。
【手続補正１４】
【補正対象書類名】特許請求の範囲
【補正対象項目名】全文
【補正方法】変更
【補正の内容】
【特許請求の範囲】
【請求項１】
外壁パネル体が居住空間に対向する窓部と、外壁パネル体が床、天井等の躯体構造物に対向するスパンドレル部とを設けた外壁を備えてなる建物において、
スパンドレル部の外壁パネル体と躯体構造物との間の空間部を表示パネル装置配設部とし、
該表示パネル装置配設部に、外壁の屋外側に向けて表示を行う表示パネル装置を配設するにあたり、
該表示パネル装置を、外壁パネル体を支持する枠材または該枠材に連結される額縁部材に支持せしめると共に、
表示パネル装置配設部の少なくとも上方位置で該表示パネル装置配設部に積層する耐火材を配したことを特徴とする建物外壁部における表示パネル装置の配設構造。
【請求項２】
請求項１において、耐火材は、表示パネル装置配設部の上下を塞ぐことで表示パネル装置配設部の上下に積層するよう配されていることを特徴とする建物外壁部における表示パネル装置の配設構造。
【請求項３】
請求項１または２において、耐火材は、表示パネル装置配設部に対して着脱できるように配されていることを特徴とする建物外壁部における表示パネル装置の配設構造。
【請求項４】
請求項２または該請求項２を受ける請求項３において、表示パネル装置配設部の上下および屋内側は、前記上下の耐火材と、表示パネル装置配設部の屋内側に配した耐火材とにより囲撓されていることを特徴とする建物外壁部における表示パネル装置の配設構造。
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
外壁パネル体が居住空間に対向する窓部と、外壁パネル体が床、天井等の躯体構造物に対向するスパンドレル部とを設けた外壁を備えてなる建物において、
スパンドレル部の外壁パネル体と躯体構造物との間の空間部を表示パネル装置配設部とし、
該表示パネル装置配設部に、外壁の屋外側に向けて表示を行う表示パネル装置を配設するにあたり、
該表示パネル装置を、外壁パネル体を支持する枠材または該枠材に連結される額縁部材に支持せしめると共に、
表示パネル装置配設部の上下を塞ぐ上側耐火材および下側耐火材を表示パネル装置配設部の上下に積層するよう配する一方、
表示パネル装置配設部の上方に開口を設け、該開口から前記上側耐火材および表示パネル装置を居住空間側に出し入れ自在に構成にしたことを特徴とする建物外壁部における表示パネル装置の配設構造。
【請求項２】
外壁パネル体が居住空間に対向する窓部と、外壁パネル体が床、天井等の躯体構造物に対向するスパンドレル部とを設けた外壁を備えてなる建物において、
スパンドレル部の外壁パネル体と躯体構造物との間の空間部を表示パネル装置配設部とし、
該表示パネル装置配設部に、外壁の屋外側に向けて表示を行う表示パネル装置を配設するにあたり、
該表示パネル装置を、外壁パネル体を支持する枠材または該枠材に連結される額縁部材に支持せしめると共に、
表示パネル装置配設部の上下を塞ぐ上側耐火材および下側耐火材を表示パネル装置配設部の上下に積層するよう配する一方、
表示パネル装置配設部の下方に開口を設け、該開口から前記下側耐火材および表示パネル装置を居住空間側に出し入れ自在に構成にしたことを特徴とする建物外壁部における表示パネル装置の配設構造。
【請求項３】
請求項１または２において、表示パネル装置配設部の上下および屋内側は、表示パネル装置配設部の上下を塞ぐ上側耐火材および下側耐火材と、表示パネル装置配設部の屋内側に配した耐火材とにより囲撓されていることを特徴とする建物外壁部における表示パネル装置の配設構造。
【手続補正２】
【補正対象書類名】明細書
【補正対象項目名】０００５
【補正方法】変更
【補正の内容】
【０００５】
本発明は、上記の如き実情に鑑みこれらの課題を解決することを目的として創作されたものであって、請求項１の発明は、外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示パネル装置配設部とし、該表示パネル装置配設部に、外壁の屋外側に向けて表示を行う表示パネル装置を配設するにあたり、該表示パネル装置を、外壁パネル体を支持する枠材または該枠材に連結される額縁部材に支持せしめると共に、表示パネル装置配設部の上下を塞ぐ上側耐火材および下側耐火材を表示パネル装置配設部の上下に積層するよう配する一方、表示パネル装置配設部の上方に開口を設け、該開口から前記上側耐火材および表示パネル装置を居住空間側に出し入れ自在に構成にしたことを特徴とする建物外壁部における表示パネル装置の配設構造である。
請求項２の発明は、外壁パネル体が居住空間に対向する窓部と、外壁パネル体が床、天井等の躯体構造物に対向するスパンドレル部とを設けた外壁を備えてなる建物において、スパンドレル部の外壁パネル体と躯体構造物との間の空間部を表示パネル装置配設部とし、該表示パネル装置配設部に、外壁の屋外側に向けて表示を行う表示パネル装置を配設するにあたり、該表示パネル装置を、外壁パネル体を支持する枠材または該枠材に連結される額縁部材に支持せしめると共に、表示パネル装置配設部の上下を塞ぐ上側耐火材および下側耐火材を表示パネル装置配設部の上下に積層するよう配する一方、表示パネル装置配設部の下方に開口を設け、該開口から前記下側耐火材および表示パネル装置を居住空間側に出し入れ自在に構成にしたことを特徴とする建物外壁部における表示パネル装置の配設構造である。
請求項３の発明は、請求項１または２において、表示パネル装置配設部の上下および屋内側は、表示パネル装置配設部の上下を塞ぐ上側耐火材および下側耐火材と、表示パネル装置配設部の屋内側に配した耐火材とにより囲撓されていることを特徴とする建物外壁部における表示パネル装置の配設構造である。
【手続補正３】
【補正対象書類名】明細書
【補正対象項目名】０００６
【補正方法】変更
【補正の内容】
【０００６】
請求項１〜３の発明とすることにより、屋外側からの目隠しが必要なスパンドレル部を利用して外壁パネル体の屋内側に表示パネル装置を配設できるとともに、外殻パネル体を支持する枠材または額縁部材を利用して、表示パネル装置を確実且つ精度良く支持せしめることができる。
【手続補正４】
【補正対象書類名】明細書
【補正対象項目名】００４３
【補正方法】変更
【補正の内容】
【００４３】
さらに、前記膳板７４の下側には、第二中間無目アダプター７５と第一耐火パネル体４７Ａの上部間に位置する状態で、表示パネル装置配設部５２の上側を塞ぐ上側耐火ブロック７６が配設されている。該上側耐火ブロック７６は、前記下側耐火ブロック７０と同様に耐火材から構成されるものであって、上側耐火ブロック支持ブラケット７７に載置支持されているが、該上側耐火ブロック支持ブラケット７７は、屋外側端部がネジ７７ａを介して第二中間無目アダプター７５に取付けられ、また、屋内側端部がネジ７７ｂを介して支持アングル７８に取付けられている。該支持アングル７８は、第一耐火パネル体４７Ａの上側位置において、方立本体部４２Ａの左右側面部４２Ａａに固定された左右のアングル用ブラケット７９にネジ７８ａを介して取付け支持される状態で、左右に隣接する方立４２の方立本体部４２Ａ間に支架されている。
尚、前述した上側耐火ブロック７６、下側耐火ブロック７０、および後述する第三の実施の形態の上側耐火ブロック９２、下側耐火ブロック８９は、火災時における延焼を防止するべく表示パネル装置配設部５２の上下を耐火材で塞ぐものであって、本発明の上側耐火材、下側耐火材にそれぞれ相当するが、図９から明らかなように、表示パネル装置配設部５２の上下および屋内側は、耐火材である下側耐火ブロック７０、上側耐火ブロック７６、並びに前記耐火パネル体４７により囲繞されている。